(57)【要約】【課題】  シリンダ錠が完全にシリンダ筒等の保持部材に埋設されて、内筒の回動が外部から確認できない錠前においても施解錠の表示ができる施解錠表示装置を提供する。【解決手段】  連結プラグ６に傾斜端縁を形成した駆動カムを突設し、一方、シリンダ錠の中心軸と平行に延在する杆体で、シリンダシリンダ錠の保持部材に形成された案内孔に長さ方向に移動可能に支承され、先端を案内孔の開口に出没可能に臨ませると共に、内方に付勢されたインジケータ１２を設け、このインジケータ１２の内端を駆動カムの移動軌跡に係合可能に臨ませ、シリンダ錠の内筒５を所定の方向に回動させたとき、駆動カムの傾斜端縁とインジケータの内端との係合によって生じる楔作用により、インジケータ１２を付勢力に抗して外方に押動し、その先端をシリンダの保持部材３の開口から突出させる。【選択図】  図１
2006144475.tif 000002
【特許請求の範囲】
【請求項１】
内端に操作軸を同軸に突設し、外端部をシリンダ錠の内筒に連結されて、シリンダ錠の内筒と同軸かつ一体的に回動できるように支承された連結プラグと、この連結プラグの外周部の所定の角度位置に半径方向に延伸するように突設され、傾斜端縁を形成した駆動カムと、シリンダ錠の中心軸と平行に延在する杆体で、シリンダ錠の保持部材に形成された案内孔に長さ方向に移動可能に支承され、先端を案内孔の開口に出没可能に臨ませると共に、内方に付勢されたインジケータとを有し、このインジケータの内端を駆動カムの移動軌跡に係合可能に臨ませ、シリンダ錠の内筒を所定の方向に回動させたとき、駆動カムの傾斜端縁とインジケータの内端との係合によって生じる楔作用により、インジケータを付勢力に抗して外方に押動し、その先端をシリンダの保持部材の開口から突出させるようにしたことを特徴とする施解錠表示装置。
【発明の詳細な説明】
【技術分野】
【０００１】
この発明は、錠前が施錠されているか解錠されているかを外部から容易に判別できるようにした施解錠表示装置に係り、特に、シリンダ錠が完全にシリンダ筒等の保持部材に埋設されて、内筒の回動が外部から確認できない錠前においても施解錠の表示ができる施解錠表示装置に関する。
【背景技術】
【０００２】
施解錠表示装置は、扉、机の引出し或いは他の施錠箇所に装着されたシリンダ錠が施錠状態にあるか、或いは解錠状態にあるかを表示する装置で、例えば後記特許文献１及び２に示すように、通常、固定の外筒に対する可動の内筒の相対角度位置変化を利用して施解錠状態を表示する。
【０００３】
この場合、通常の錠前では内筒のキーガイドが外部空間に露出しているから、係る施解錠表示装置の構成は比較的簡単であり、種々の施解錠表示装置が提案されている。
【特許文献１】特開平０９−０２５７５１号公報
【特許文献２】特開平１１−１９３６５５号公報
【特許文献３】特開平１１−２００６７８号公報
【発明の開示】
【発明が解決しようとする課題】
【０００４】
ところで、錠前の種類によっては、例えば上記特許文献３に記載されているように、シリンダ錠がシリンダ筒等の保持部材に完全に埋設されてしまうものもある。
【０００５】
上記特許文献３に記載されたシリンダ錠は、所謂防犯型サムターンに使用されるもので、通常はサムターンに直結される横断面形状が十字形のダルマ操作軸が、扉に埋設されたシリンダ錠の内筒に連結されており、このシリンダ錠の鍵孔に室内側から抜き差しされる合鍵をサムターンの摘みとして、必要のないときには合鍵を抜いてしまい、室外側から手を差し入れてサムターンを操作することによる不正解錠を防止しようとするものである。
【０００６】
このような所謂防犯型サムターンに用いられるシリンダ錠は、通常、又は特許文献３の図面から明らかなように、シリンダ錠の室内側の端面が合鍵の保持機構に覆われるので、従来の施解錠表示装置をその侭採用することができない。
【０００７】
そこで、この発明の目的は、シリンダ錠がシリンダ筒等の保持部材に埋没していて外部空間に露出していない場合でも、そのシリンダ錠の施解錠状態を表示できる施解錠表示装置を提供することを目的としている。
【課題を解決するための手段】
【０００８】
上記の目的を達成するため、請求項１に記載の発明は、内端に操作軸を同軸に突設し、外端部をシリンダ錠の内筒に連結されて、シリンダ錠の内筒と同軸かつ一体的に回動できるように支承された連結プラグと、この連結プラグの外周部の所定の角度位置に半径方向に延伸するように突設され、傾斜端縁を形成した駆動カムと、シリンダ錠の中心軸と平行に延在する杆体で、シリンダ錠の保持部材に形成された案内孔に長さ方向に移動可能に支承され、先端を案内孔の開口に出没可能に臨ませると共に、内方に付勢されたインジケータとを有し、このインジケータの内端を駆動カムの移動軌跡に係合可能に臨ませ、シリンダ錠の内筒を所定の方向に回動させたとき、駆動カムの傾斜端縁とインジケータの内端との係合によって生じる楔作用により、インジケータを付勢力に抗して外方に押動し、その先端をシリンダの保持部材の開口から突出させるようにしたことを特徴とする。
【発明の効果】
【０００９】
上記のように構成された請求項１に記載の発明による施解錠表示装置は、例えば施錠時インジケータを突出させる場合、シリンダ錠の内筒を合鍵で施錠方向に回すと、これと一体に回動する連結プラグの駆動カムがインジケータの内端と係合してインジケータを外方に押動してその先端が案内孔の開口から突出するので、その突出の有無により施解錠状態を知ることができる。
【００１０】
また、施解錠状態をインジケータの先端の突出により表示し、その突出を手指で触ることにより容易に検知できるから、暗い場所や視力の弱い人でも容易に施解錠状態を知ることができる、等種々の効果を奏する。
【発明を実施するための最良の形態】
【００１１】
シリンダ錠の保持部材内に棒状のインジケータをその長さ方向に移動可能に案内すると共に内方に付勢し、その内端をシリンダ錠の内筒と一体に回動する駆動カムにより、付勢力に抗して外方に押動するようにしたので、シリンダ錠が保持部材に完全に埋没した錠前でも、簡単な構成で施解錠状態を表示できるようにした。
【実施例１】
【００１２】
以下、この発明の実施例を図面を参照して説明する。
図１及び図２において符号１は所謂防犯型サムターンを示し、この防犯型サムターン１の構成及び機能は前記特許文献３に詳細に記載されているから、ここではこの発明が適用される防犯型サムターンについて簡単に説明する。
【００１３】
防犯型サムターンは、扉２（図１参照）の室内側の面（図１及び図２で左側の面）に装着されたシリンダ筒３と、このシリンダ筒３内に埋設された例えばピンタンブラー錠等のシリンダ錠４と、このシリンダ錠４の内筒５に一体的に連結された連結プラグ６とを有している。
【００１４】
そして、シリンダ錠の内筒５にサムターンの摘みとなる合鍵７を挿入することにより連結プラグ６を回動可能にし、その内端に突設されたダルマ操作軸等の操作軸８を介して、錠箱９（図１参照）内の施錠機構を制御する。
【００１５】
なお、図２において符号１１は内方に付勢された公知のクリックボールを示し、このクリックボール１１は合鍵７に形成された付番しない溝部と係合し、合鍵７の鍵孔への挿脱に際しクリック感を与える。
【００１６】
この侭の構成だと、シリンダ錠４は完全にシリンダ筒３内に埋設されているから、従来の施解錠表示装置を装備していても、シリンダ錠の施解錠状態を外側から判別することはできない。
【００１７】
一方、本発明においては、後述するように、上記した内筒５の回動をインジケータ１２に伝達し、これをシリンダ筒３の表面から出没させる。
【００１８】
そのため、図３乃至図５に示すように、前記連結プラグ６の外周部の所定の角度位置、例えば図３で時計盤面に換算して３時の角度位置に、半径方向に延伸する駆動カム１３が突設されている。
【００１９】
ちなみに、図示の実施例における連結プラグ６は、図３乃至図６に示すように、全体の形状が円盤形で、その内端（図４で右端、図６で左端）に断面十字形のダルマ操作軸８を同軸かつ一体に突設している。
【００２０】
また、外端には円錐をなす凹陥部１４が形成されており（図３及び図６参照）、この凹陥部１４に内筒内端の突出部を収納しているが（図１参照）、この凹陥部はこの発明の必須の構成ではない。
【００２１】
更にまた、図３に示すように、連結プラグ６の外端にスリワリ１５が形成されており、このスリワリ１５とシリンダ錠の内筒内端部に形成された係合爪１６（図１参照）とを係合させることにより、連結プラグ６はシリンダ錠の内筒５に一体的に連結されている。
【００２２】
前記駆動カム１３の説明に戻って、駆動カム１３の外面には傾斜端縁１７が形成されている。
【００２３】
図示の実施例では、図３に示す角度位置の駆動カムの外面の上下に傾斜端縁１７が形成されているので、駆動カム１３の横断面形状は五角形となっている（図４参照）。
【００２４】
一方、シリンダ錠４の近傍（図１ではシリンダ錠の近傍で下方）にインジケータ１２が配設されている。
【００２５】
図示の実施例におけるインジケータ１２は、図７乃至図９に示すように、段付の円形棒に全体の形状が略Ｌ字形の接続部を連接したもので、全体としてシリンダ錠の中心軸と平行に延在する杆体である。
【００２６】
このインジケータ１２は、図１に示すように、シリンダ筒３に形成された付番しない案内孔に長さ方向に移動可能に支承されており、先端を案内孔の開口に出没可能に臨ませている。
【００２７】
また、このインジケータ１２は、案内孔に弾装された圧縮コイルばねとしてのインジケータばね１８（図１参照）の弾力により、内方（図１で右方）に付勢されている。
【００２８】
更にまた、図１０に示すように、インジケータ１２の内端は前記駆動カム１３の移動軌跡に係合可能に臨ませている。
【００２９】
上記のように構成された施解錠表示装置は、シリンダ錠の内筒が施錠時図３で時計方向に回動するとしたとき、図１０及び図１１に示すように、駆動カム１３はインジケータ１２の内端に関し相対的に上方から下方に移動し、その傾斜端縁１７がインジケータの内端と係合したときに生じる楔作用により、インジケータ１２の先端を案内孔の開口から突出させる。
【００３０】
このようにして、合鍵が内筒の鍵孔に挿入されていない場合でも、突出したインジケータの先端を視認することにより、或いは手指で触ることにより、防犯型サムターンの施解錠状態を知ることができる。
【図面の簡単な説明】
【００３１】
【図１】この発明の一実施例による施解錠表示装置の一部断面側面図。
【図２】この発明の一実施例による施解錠表示装置の一部断面平面図。
【図３】連結プラグの正面図。
【図４】連結プラグの側面図。
【図５】連結プラグの裏面図。
【図６】連結プラグの断面図。
【図７】インジケータの平面図。
【図８】インジケータの側面図。
【図９】インジケータの背面図。
【図１０】インジケータと駆動カムとの係合の態様を示す線図で、両者の係合始めの状態を示す。
【図１１】インジケータと駆動カムとの係合の態様を示す線図で、駆動カムがインジケータの先端を突出させた状態を示す。
【符号の説明】
【００３２】
１  防犯型サムターン
２  扉
３  シリンダ筒
４  シリンダ錠
５  内筒
６  連結プラグ
７  合鍵
８  操作軸
９  錠箱
１１  クリックボール
１２  インジケータ
１３  駆動カム
１４  凹陥部
１５  スリワリ
１６  係合爪
１７  傾斜端縁
１８  インジケータばね
【図１】
2006144475.tif 000003
【図２】
2006144475.tif 000004
【図３】
2006144475.tif 000005
【図４】
2006144475.tif 000006
【図５】
2006144475.tif 000007
【図６】
2006144475.tif 000008
【図７】
2006144475.tif 000009
【図８】
2006144475.tif 000010
【図９】
2006144475.tif 000011
【図１０】
2006144475.tif 000012
【図１１】
2006144475.tif 000013